(57)【要約】【課題】ユーザが情報処理装置を人体の一部の上に置いた状態で情報処理装置を使用する場合において、情報処理装置の発熱に伴う不快感を低減することが可能な携帯型情報処理装置を提供すること。【解決手段】ディスプレイ側筐体と本体側筐体がヒンジを介して接続された情報処理装置であって、前記本体側筐体の底面側に設けられ、前記本体側筐体が人体の一部に置かれたか否かを検出するための検出手段と、前記検出手段の検出結果に基づいて、前記情報処理装置のパフォーマンスを制御する制御手段と、を備え、前記制御手段は、前記検出手段の検出結果に基づいて、前記本体側筐体が人体の一部に置かれる直前又は置かれた場合には、前記情報処理装置のパフォーマンスを低下させるように制御する。【選択図】図１
2018049458.tif 000002
【特許請求の範囲】
【請求項１】
ディスプレイ側筐体と本体側筐体がヒンジを介して接続された情報処理装置であって、
前記本体側筐体の底面側に設けられ、前記本体側筐体が人体の一部に置かれたか否かを検出するための検出手段と、
前記検出手段の検出結果に基づいて、前記情報処理装置のパフォーマンスを制御する制御手段と、
を備え、
前記制御手段は、前記検出手段の検出結果に基づいて、前記本体側筐体が人体の一部に置かれる直前又は置かれた場合には、前記情報処理装置のパフォーマンスを低下させるように制御することを特徴とする情報処理装置。
【請求項２】
前記人体の一部は、ラップであり、
前記制御手段は、
ハイパフォーマンスで前記情報処理装置を動作させる第１のモードと、前記ハイパフォーマンスよりも低いパフォーマンスで前記情報処理装置を動作させる第２のモードとを備え、
前記本体側筐体が前記ラップ以外の場所に置かれている場合は、前記第１のモードを実行し、前記本体側筐体がラップに置かれる直前又は置かれた場合には、前記第２のモードを実行することを特徴とする請求項１に記載の情報処理装置。
【請求項３】
前記検出手段は、静電容量型のセンサを含み、検出した静電容量の変化量に基づいて、
前記本体側筐体がラップに置かれる直前又は置かれた状態及び前記ラップ以外に置かれた状態を検出することを特徴とする請求項２に記載の情報処理装置。
【請求項４】
前記ラップ以外に置かれた場合は、デスク又はフロアに置かれた場合を含む請求項２又は３に記載の情報処理装置。
【請求項５】
前記パフォーマンスは、ＣＰＵのパワーを含むことを特徴とする請求項１〜請求項４のいずれか１つに記載の情報処理装置。
【請求項６】
ディスプレイ側筐体と本体側筐体がヒンジを介して接続された情報処理装置のパフォーマンス制御方法であって、
前記本体側筐体の底面側に設けられたセンサにより、前記本体側筐体が人体の一部に置かれる直前又は置かれた状態を検出する検出工程と、
前記検出工程の検出結果に基づいて、前記本体側筐体が人体の一部に置かれる直前又は置かれた場合には、前記情報処理装置のパフォーマンスを低下させるように制御する制御工程と、
を含む情報処理装置のパフォーマンス制御方法。
【請求項７】
ディスプレイ側筐体と本体側筐体がヒンジを介して接続された情報処理装置に搭載されるプログラムであって、
前記本体側筐体の底面側に設けられたセンサにより、前記本体側筐体が人体の一部に置かれる直前又は置かれた状態を検出する検出工程と、
前記検出工程の検出結果に基づいて、前記本体側筐体が人体の一部に置かれる直前又は置かれた場合には、前記情報処理装置のパフォーマンスを低下させるように制御する制御工程と、
をコンピュータに実行させるためのコンピュータが実行可能なプログラム。
【発明の詳細な説明】
【技術分野】
【０００１】
本発明は、情報処理装置、そのパフォーマンス制御方法、及びコンピュータが実行可能なプログラムに関する。  
【背景技術】
【０００２】
例えば、ノートＰＣ等の情報処理装置は、筐体内にバッテリやＣＰＵ等の各種電子部品を搭載している。ノートＰＣをハイパフォーマンスで駆動すると、電力消費が大きくなり、バッテリや各種電子部品等の発熱によりその熱が筐体に伝導して筐体が熱くなることがある。
【０００３】
ユーザは、ノートＰＣを使用する場合は、ラップ（膝）上に置いて使用したり、デスク上において使用する場合がある。ユーザは、ラップ上において使用する場合は、ノートＰＣの筐体が熱いと不快に感じる場合がある。
【先行技術文献】
【特許文献】
【０００４】
【特許文献１】特開２００７−１８６６８０号公報
【発明の概要】
【発明が解決しようとする課題】
【０００５】
本発明は、上記に鑑みてなされたものであり、ユーザが情報処理装置を人体の一部の上に置いた状態で情報処理装置を使用する場合において、情報処理装置の発熱に伴う不快感を低減することが可能な携帯型情報処理装置、そのパフォーマンス制御方法、及びコンピュータが実行可能なプログラムを提供することを目的とする。
【課題を解決するための手段】
【０００６】
上述した課題を解決し、目的を達成するために、本発明は、ディスプレイ側筐体と本体側筐体がヒンジを介して接続された情報処理装置であって、前記本体側筐体の底面側に設けられ、前記本体側筐体が人体の一部に置かれたか否かを検出するための検出手段と、前記検出手段の検出結果に基づいて、前記情報処理装置のパフォーマンスを制御する制御手段と、を備え、前記制御手段は、前記検出手段の検出結果に基づいて、前記本体側筐体が人体の一部に置かれる直前又は置かれた場合には、前記情報処理装置のパフォーマンスを低下させるように制御することを特徴とする。
【０００７】
また、本発明の好ましい態様によれば、前記人体の一部は、ラップであり、前記制御手段は、ハイパフォーマンスで前記情報処理装置を動作させる第１のモードと、前記ハイパフォーマンスよりも低いパフォーマンスで前記情報処理装置を動作させる第２のモードとを備え、前記本体側筐体が前記ラップ以外の場所に置かれている場合は、前記第１のモードを実行し、前記本体側筐体がラップに置かれる直前又は置かれた場合には、前記第２のモードを実行することが望ましい。
【０００８】
また、本発明の好ましい態様によれば、前記検出手段は、静電容量型のセンサを含み、検出した静電容量の変化量に基づいて、前記本体側筐体がラップに置かれる直前又は置かれた状態及び前記ラップ以外に置かれた状態を検出することが望ましい。
【０００９】
また、本発明の好ましい態様によれば、前記ラップ以外に置かれた場合は、デスク又はフロアに置かれた場合を含むことが望ましい。
【００１０】
また、本発明の好ましい態様によれば、前記パフォーマンスは、ＣＰＵのパワーを含むことが望ましい。
【００１１】
また、上述した課題を解決し、目的を達成するために、本発明は、ディスプレイ側筐体と本体側筐体がヒンジを介して接続された情報処理装置のパフォーマンス制御方法であって、前記本体側筐体の底面側に設けられたセンサにより、前記本体側筐体が人体の一部に置かれる直前又は置かれた状態を検出する検出工程と、前記検出工程の検出結果に基づいて、前記本体側筐体が人体の一部に置かれる直前又は置かれた場合には、前記情報処理装置のパフォーマンスを低下させるように制御する制御工程と、を含むことを特徴とする。
【００１２】
また、上述した課題を解決し、目的を達成するために、本発明は、ディスプレイ側筐体と本体側筐体がヒンジを介して接続された情報処理装置に搭載されるプログラムであって、前記本体側筐体の底面側に設けられたセンサにより、前記本体側筐体が人体の一部に置かれる直前又は置かれた状態を検出する検出工程と、前記検出工程の検出結果に基づいて、前記本体側筐体が人体の一部に置かれる直前又は置かれた場合には、前記情報処理装置のパフォーマンスを低下させるように制御する制御工程と、をコンピュータに実行させることを特徴とする。
【発明の効果】
【００１３】
本発明によれば、ユーザが情報処理装置を人体の一部の上に置いた状態で情報処理装置を使用する場合において、情報処理装置の発熱に伴う不快感を低減することが可能になるという効果を奏する。
【図面の簡単な説明】
【００１４】
【図１】図１は、本実施の形態に係る情報処理装置を適用したノートＰＣの外観を示す斜視図及び本体側筐体の底面を示す平面図である。
【図２】図２は、ノートＰＣの使用場所を説明するための図である。
【図３】図３は、ノートＰＣのパフォーマンスとノートＰＣ（本体側筐体）の底面の温度との関係を説明するための図である。
【図４】図４は、ノートＰＣの概略の構成を示す機能ブロック図である。
【図５】図５は、各種場所にノートＰＣを置いた場合に近接センサで検出されるキャパシタンス（ｐＦ）の一例を示す図である。
【図６】図６は、近接センサの検出結果のプロファイルの一例を示す図である。
【図７】図７は、エンベデッド・コントローラによるノートＰＣのパフォーマンス制御の一例を説明するためのフローチャートである。
【発明を実施するための形態】
【００１５】
以下に、この発明に係る情報処理装置、そのパフォーマンス制御方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。なお、この実施の形態によりこの発明が限定されるものではない。また、下記実施の形態における構成要素には、当業者が容易に想定できるもの又は実質的に同一のものが含まれる。  
【００１６】
図１は、本実施の形態に係る情報処理装置を適用したノートＰＣの概略構成を示しており、図１（ａ）はノートＰＣの外観を示す斜視図、図１（ｂ）はノートＰＣの本体側筐体の底面を示す平面図である。図１に示すように、ノートＰＣ１は、ディスプレイ側筐体２と本体側筐体３が一対のヒンジ４を介して開閉可能に接続されている。  
【００１７】
ディスプレイ側筐体２は、ＬＣＤ（液晶ディスプレイ）１８を収納する。本体側筐体３は、内部に図４に示すような各種のシステム・デバイスを収納すると共に、表面にキーボード装置１６及びタッチパッド１７を実装している。
【００１８】
本体側筐体３の底面側には、略中央位置に近接センサ３１が設けられている。近接センサ３１は、本体側筐体３の底面の表面に設けることにしてもよく、また、本体側筐体３の内部の底面側に設けることにしてもよい。近接センサ３１は、例えば、静電容量型のセンサであり、キャパシタンス（静電容量）の変化を検出することで、本体側筐体３の底面と人体の一部（例えば、ラップ）が接触しているか否かを検出することができる。
【００１９】
図２は、ノートＰＣ１の使用場所の一例を説明するための図である。通常、ユーザはノートＰＣ１を、図２（ａ）に示すように、デスクに置いて使用する場合、図２（ｂ）に示すように、フロアにおいて使用する場合、図２（ｃ）に示すように、ラップに置いて使用する場合が多い。
【００２０】
ノートＰＣ１は、ハイパフォーマンスモードで使用すると、ＣＰＵ等の発熱で本体側筐体３が熱くなる。ユーザは、ノートＰＣ１をデスクやフロアに置いて使用する場合は気にならないが、ラップに置いて使用する場合は、ラップが体側筐体３に接触しているため、体側筐体３の発熱を不快に感じる場合がある。
【００２１】
図３は、ノートＰＣ１のパフォーマンスとノートＰＣ１（本体側筐体３）の底面の温度との関係を説明するための図である。図３は、ＣＰＵ等のパワー（電力消費）を高くしたハイパフォーマンスモードと、ハイパフォーマンスモードよりもパフォーマンスの低いクールパフォーマンスモードとを実行した場合における、ＣＰＵのパワーとノートＰＣ１の底面の温度との関係を示している。ハイパフォーマンスモードでは、ノートＰＣ１の底面の温度が高いのに対して、クールパフォーマンスモードでは、ノートＰＣ１の底面の温度を下げることができる。
【００２２】
そこで、本実施の形態では、近接センサ３１の検出結果に基づいて、ノートＰＣ１（本体側筐体３）が人体の一部（例えば、ラップ）に置かれる直前又は置かれた場合には、ノートＰＣ１のパフォーマンスを低下させるように制御することで、ＣＰＵやバッテリ等の発熱を低減させている。これにより、ユーザがノートＰＣ１をラップ上において使用する場合にノートＰＣ１の熱により不快に感じることを防止している。より具体的には、後述するように、本体側筐体３がラップ以外の場所に置かれている場合は、ハイパフォーマンスモードを実行し、本体側筐体３がラップに置かれる直前又は置かれた場合には、クールパフォーマンスモードを実行する。
【００２３】
図４は、ノートＰＣ１の概略の構成を示す機能ブロック図である。ＣＰＵ１１はメモリ・コントローラとＰＣＩ  Ｅｘｐｒｅｓｓコントローラを内蔵しており、メイン・メモリ２１、ＧＰＵ２５及びチップセット１２に接続されている。ＧＰＵ２５は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むと共に、ビデオメモリからこの描画情報を読み出して、ＬＣＤ（液晶ディスプレイ）１８に描画データとして出力している。  
【００２４】
メイン・メモリ２１は、ＣＰＵ１１の実行プログラムの読み込み領域として、あるいは実行プログラムの処理データを書き込む作業領域として利用される書き込み可能メモリである。例えば、複数個のＤＲＡＭチップで構成される。この実行プログラムには、例えば、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）に基づく電力制御が可能なＯＳ（例えば、Ｗｉｎｄｏｗｓ（登録商標）ＸＰ、Ｖｉｓｔａ、７、８、１０等）、周辺機器類をハードウェア操作するための各種ドライバ、ユーティリティプログラム、特定業務を実行するためのアプリケーションプログラム等が含まれる。これら実行プログラムは、ストレージ２０（例えば、ＨＤＤ又はＳＳＤ）に格納されている。
【００２５】
チップセット１２は、ＳＡＴＡ、ＵＳＢ、ＰＣＩ  Ｅｘｐｒｅｓｓ、ＬＰＣなどのコントローラ及びＲＴＣ（Real  Time  Clock）を内蔵している。ＳＡＴＡコントローラにはストレージ２０が接続され、ＰＣＩ  ＥｘｐｒｅｓｓコントローラにはＬＡＮカード１３が接続され、ＵＳＢコントローラにはＵＳＢレセプタクル２３が接続される。ＬＡＮカード１３には、ＲＪ４５レセプタクル１５が接続されている。ＬＰＣコントローラには、エンベデッド・コントローラ２２が接続されている。  
【００２６】
エンベデッド・コントローラ２２は、ＣＰＵ、ＲＯＭ、及びＲＡＭなどで構成されたマイクロ・コンピュータであり、さらに複数チャネルのＡ／Ｄ入力端子、Ｄ／Ａ出力端子、タイマ、及びディジタル入出力端子を備えている。エンベデッド・コントローラ２２は、ノートＰＣ１の内部の動作環境の管理に係るプログラムをＣＰＵ１１とは独立して実行することができる。エンベデッド・コントローラ２２は、ノートＰＣ１の電力制御（パワーマネージメント）やキーボード装置１６、タッチパッド１７、近接センサ３１、加速度センサ３２、ファン装置３３等の制御を行う。近接センサ３１は、静電容量型のセンサであり、静電容量を検出して、その検出結果をエンベデッド・コントローラ２２に出力する。
加速度センサ３２は、Ｘ軸方向、Ｙ軸方向、及びＺ軸方向の加速度を検出して、その検出結果をエンベデッド・コントローラ２２に出力する。ファン装置３３は本体側筐体３の内部を冷却する。
【００２７】
また、エンベデッド・コントローラ２２は、電源回路４０を制御して、システム状態（例えば、ＡＣＰＩステート）に応じた電源コントロールを行なう。
【００２８】
電源回路４０は、主として、ＡＣ／ＤＣアダプタ、電池パック、充電器、及びＤＣ／ＤＣコンバータ等を備えている。
【００２９】
エンベデッド・コントローラ２２は、ＡＣ／ＤＣアダプタが商用電源に接続されている場合には、ＡＣ／ＤＣアダプタから供給される直流電圧を複数の電圧に変換してシステム・デバイスに電力を供給するように制御し（ＡＣ駆動）、また、充電器を制御して、電池パックを充電する。他方、エンベデッド・コントローラ２２は、ＡＣ／ＤＣアダプタが商用電源に接続されていない場合には、電池パックから供給される直流電圧を複数の電圧に変換してシステム・デバイスに電力を供給するように制御する（バッテリ駆動）。  
【００３０】
また、エンベデッド・コントローラ２２は、近接センサ３１の検出結果に基づいて、本体側筐体３が置かれている場所を判定して、ノートＰＣ１のパフォーマンスを制御する。
【００３１】
次に、図５〜図７を参照して、エンベデッド・コントローラ２２によるノートＰＣ１のパフォーマンスの制御を説明する。
【００３２】
エンベデッド・コントローラ２２は、ノートＰＣ１をハイパフォーマンスで駆動するハイパフォーマンスモード（第１のモード）と、ハイパフォーマンスよりもパフォーマンスの低いパフォーマンスでノートＰＣ１を駆動するクールパフォーマンスモード（第２のモード）と備えている。エンベデッド・コントローラ２２は、本体側筐体３の底面に設けられた近接センサ３１の検出結果に基づいて、ハイパフォーマンスモードとクールパフォーマンスモードを切り替える。ここで、パフォーマンスは、例えば、ＣＰＵ１１のパワー（例えば、ＩｎｔｅｌＣｏｒeプロセッサのＰＬ１，ＰＬ２）、ＧＰＵ２５の消費電力又はクロック、ストレージ２０の通信バンド幅、ファン装置３３のデューティ・サイクル等が含まれる。エンベデッド・コントローラ２２は、例えば、ＣＰＵ１１のパワー（例えば、ＩｎｔｅｌＣｏｒeプロセッサのＰＬ１，ＰＬ２）、ＧＰＵ２５の消費電力又はクロック、ストレージ２０の通信バンド幅、ファン装置３３のデューティ・サイクル等を設定する。エンベデッド・コントローラ２２は、ハイパフォーマンスモードの場合は高いパフォーマンスを設定し、クールパフォーマンスモードの場合は低いパフォーマンスを設定する。
【００３３】
図５は、各種場所にノートＰＣ１を置いた場合に近接センサ３１で検出されるキャパシタンス（ｐＦ）の一例を示す図である。図５では、テーブル（ウッド製のテーブルの場合、メタル製のテーブルの場合、ガラス製のテーブルの場合、サーバー上の場合）、フロア（ウッドの場合、カーペットの場合）、ラップ（ベア（Ｂａｒｅ）の場合、スラックスを履いている場合、ジーンズを履いている場合）にノートＰＣ１を置いた場合に近接センサ３１でそれぞれ検出されるキャパシタンスの一例を示している。
【００３４】
図５に示すように、近接センサ３１で検出されるラップは、テーブルやフロアに比して、キャパシタンスが高くなっており、キャパシタンスを検出することで、ノートＰＣ１が、ラップと、テーブル又はフロアのどちらに置かれているかを検出することができる。テーブルとフロアのキャパシタンスは近い値となっているので、テーブルとフロアを１つとして扱い、ラップとラップ以外（テーブル又はフロア）のいずれに置かれているかを検出することにしてもよい。例えば、ラップとラップ以外との検出感度を向上させるために、例えば、ラップでは、ラップのうちキャパシタンスの低いジーンズを基準とし、ラップ以外では、フロア上及びテーブル上のうちキャパシタンスの高いメタル製のテーブルを基準とすることにしてもよい。
【００３５】
図６は、近接センサ３１の検出結果のプロファイルの一例を示す図である。図６において、横軸は時間、縦軸は近接センサ３１で検出したキャパシタンスを示している。図６は、ノートＰＣ１をデスクに置いた状態からラップに置いて使用した後、さらにデスク（ラップ以外）に置いて使用した場合を示している。ノートＰＣ１をデスクに置いて使用している状態（Ａ）からノートＰＣ１を手で持ち上げてラップ上に移動させると（Ｂ、Ｃ）、近接センサ３１で検出されるキャパシタンスが上昇する。例えば、キャパシタンスの変位量（増分）が所定値Ｐ１以上の場合は、ラップに置かれたと判定することができる。また、例えば、キャパシタンスの変位量（増分）が所定値Ｐ２（但し、所定値Ｐ２＜所定値Ｐ１）になった場合に、ラップに置かれる直前と判定することができる。
【００３６】
エンベデッド・コントローラ２２は、例えば、近接センサ３１で検出されるキャパシタンスの変位量（増分）が所定値Ｐ２以上（ラップに置かれる直前）なった場合は、クールパフォーマンスモードを設定してもよい。また、エンベデッド・コントローラ２２は、近接センサ２２で検出されるキャパシタンスの変位量（増分）が所定値Ｐ１以上（ラップに置かれた状態）なった場合にクールパフォーマンスモードを設定してもよい。
【００３７】
他方、ノートＰＣ１をラップに置いて使用している状態（Ｃ）からノートＰＣ１を手で持ち上げてデスクに移動させると（Ｄ、Ｅ）、近接センサ３１で検出されるキャパシタンスが減少する。例えば、キャパシタンスの変位量（減少分）が所定値Ｐ１以上の場合は、デスクに置かれたと判定することができる。また、例えば、キャパシタンスの変位量（減少分）が所定値Ｐ２（但し、所定値Ｐ２＜所定値Ｐ１）になった場合に、デスクに置かれる直前と判定することができる。
【００３８】
エンベデッド・コントローラ２２は、近接センサ２２で検出されるキャパシタンスの変位量（減少分）が所定値Ｐ２（デスクに置かれる直前）以上になった場合は、ハイパフォーマンスモードを設定してもよい。また、エンベデッド・コントローラ２２は、近接センサ３１で検出されるキャパシタンスの変位量（減少分）が所定値Ｐ１（デスクに置かれた場合）以上になった場合は、ハイパフォーマンスモードを設定してもよい。
【００３９】
図７は、エンベデッド・コントローラ２２によるノートＰＣ１のパフォーマンス制御の一例を説明するためのフローチャートである。エンベデッド・コントローラ２２は、所定周期で図７に示すフローを繰り返し実行する。図７において、まず、エンベデッド・コントローラ２２は、デスク上からラップ上に移動したか否かを判断する（ステップＳ１）。
具体的には、エンベデッド・コントローラ２２は、デスク上からラップ上に移動したか否かを、近接センサ３１で検出されるキャパシタンスの変位量（増分）が所定値Ｐ２又はＰ１以上になったか否かを判定することにより判断する。デスク上からラップ上に移動したと判断した場合には（ステップＳ１の「Ｙｅｓ」）、エンベデッド・コントローラ２２は、クールパフォーマンスモードを設定する（ステップＳ２）。
【００４０】
デスク上からラップ上への移動を検出しなかった場合には（ステップＳ１の「Ｎｏ」）、エンベデッド・コントローラ２２は、ラップ上からデスク上に移動したか否かを判断する（ステップＳ３）。具体的には、エンベデッド・コントローラ２２は、ラップ上からデスク上に移動したか否かを、近接センサ３１で検出されるキャパシタンスの変位量（減少分）が所定値Ｐ２又はＰ１以上になったか否かを判定することにより判断する。ラップ上からデスク上に移動したと判断した場合には（ステップＳ３の「Ｙｅｓ」）、エンベデッド・コントローラ２２は、ハイパフォーマンスモードを設定する（ステップＳ４）。
【００４１】
ラップ上からデスク上への移動を検出しなかった場合には（ステップＳ３の「Ｎｏ」）、エンベデッド・コントローラ２２は、振動が有るか否かを判断する（ステップＳ４）。具体的には、エンベデッド・コントローラ２２は、例えば、加速度センサ３２で検出される加速度の変動が所定値以上の場合に振動が有ると判断することができる。振動が有ると判断した場合には（ステップＳ５の「Ｙｅｓ」）、クールパフォーマンスモードを設定する（ステップＳ６）。例えば、振動が有る場合は、手の上に置いて（又は把持して）使用している場合が想定されるため、クールパフォーマンスモードを設定する。他方、振動が有ると判断しなかった場合には（ステップＳ５の「Ｎｏ」）、現在のモードを維持する（ステップＳ７）。
【００４２】
以上説明したように、本実施の形態によれば、エンベデッド・コントローラ２２は、近接センサ３１の検出結果に基づいて、ノートＰＣ１の本体側筐体３が人体の一部（例えば、ラップ）に置かれる直前又は置かれた場合には、ノートＰＣ１のパフォーマンスを低下させるように制御することとしたので、ユーザがノートＰＣ１を人体の一部の上に置いた状態でノートＰＣ１を使用する場合において、ノートＰＣ１の発熱に伴う不快感を低減することが可能となる。
【符号の説明】
【００４３】
１  ノートＰＣ
２  ディスプレイ側筐体
３  本体側筐体
４  ヒンジ
１１  ＣＰＵ
１２  チップセット
１６  キーボード装置
１７  タッチパッド
１８  ＬＣＤ
２０  ストレージ
２１  メイン・メモリ
２２  エンベデッド・コントローラ
２３  ＵＳＢ
２４  コネクタ
２５  ＧＰＵ
３１  近接センサ
３２  加速度センサ
３３  ファン装置
４０  電源回路
【図１】
2018049458.tif 000003
【図２】
2018049458.tif 000004
【図３】
2018049458.tif 000005
【図４】
2018049458.tif 000006
【図５】
2018049458.tif 000007
【図６】
2018049458.tif 000008
【図７】
2018049458.tif 000009